(57)【要約】【課題】  ４面の側部パネルは内側及び外側に折り畳み可能であり、底部パネルから取り外し可能なので、分解洗浄、交換が簡単であるし、収容物の収納作業を効率的に行うことができる。【解決手段】  底部パネル１の一対の前支柱４、４間に前側部パネル１１が挿嵌軸支機構１２によって内、外方向に回動可能に、かつ着脱可能に軸支してある。底部パネル１の一対の後支柱５、５間に後挿入軸支機構によって後側部パネル２１が内、外方向に回動可能に、かつ着脱可能に軸支してある。また両側の各前支柱４と後支柱５間に横挿入軸支機構３２によって横側部パネル３１が内、外方向に回動可能に、かつ着脱可能に軸支してある。４面の側部パネル１１、２１、３１は連結手段４１によって係脱可能に連結して枠体状をなしている。【選択図】    図１
2005075434.tif 000002
【特許請求の範囲】
【請求項１】
平面略四角形の底部パネルと、該底部パネルの前側両隅に立設した一対の前支柱及び後側両隅に立設した一対の後支柱と、前記前支柱間、後支柱間及び前後支柱間に幅方向両下端側を軸支することにより立設した４枚の側部パネルと、該４枚の側部パネルを係脱可能に枠状に連結する連結手段とからなり、前記４枚の側部パネルのうち少なくとも１枚の側部パネルは、幅方向両端の下部側に突設した係止軸と、該側部パネルを支持する一対の支柱に形成され、該係止軸を落とし込んだ状態で挿嵌する支持溝とからなる挿嵌軸支機構によって軸支し、他の側部パネルは幅方向両端の下部側に穿設した軸挿入穴と、各一対の支柱に軸方向に変位可能に設けられ、該軸挿入穴に挿脱可能に挿装する支持軸とからなる挿入軸支機構によって軸支することにより、前記４枚の側部パネルは各一対の支柱に係脱可能に、かつ略１８０度の範囲で回動可能に係着した構成からなることを特徴とする開放型コンテナ。
【請求項２】
平面略四角形の底部パネルと、該底部パネルの前側両隅に立設した一対の前支柱及び後側両隅に立設した一対の後支柱と、前記前支柱間、後支柱間及び前後支柱間に幅方向両下端側を軸支することにより立設した４枚の側部パネルと、該４枚の側部パネルを係脱可能に枠状に連結する連結手段とからなり、前記側部パネルは、幅方向両端の下部側に突設した係止軸と、該側部パネルを支持する一対の支柱に形成され、該係止軸を落とし込んだ状態で挿嵌する支持溝とからなる挿嵌軸支機構によって軸支することにより、前記４枚の側部パネルは各一対の支柱に係脱可能に、かつ略１８０度の範囲で回動可能に係着した構成からなることを特徴とする開放型コンテナ。
【請求項３】
前記支持溝は、先端が前記支柱の外縁に開口した略Ｉ字状、略逆Ｌ字状、略く字状又は逆レ字状のいずれかに形成してあることを特徴とする請求項１又は２記載の開放型コンテナ。
【請求項４】
前記４枚の側部パネルの少なくとも１枚の側部パネルは、回動可能に連結した下部パネル体と上部パネル体とから外側に二つ折り可能に構成してあることを特徴とする請求項１又は２記載の開放型コンテナ。
【発明の詳細な説明】
【技術分野】
【０００１】
本発明は、例えば収穫したジャガイモ、玉ねぎ、人参等の各種の農産物、その他の粒状物や塊状物を収容して運搬するためのコンテナに関し、特に４面の側部パネルが内側及び外側の両方向に回動可能であるし、分離も可能な開放型コンテナに関する。
【背景技術】
【０００２】
従来、例えばジャガイモ、玉ねぎ、人参等の各種の農産物を収穫して集荷し、運搬する場合、収納する農産物に応じて業界の仕様でサイズが決められているコンテナを使用している。この種のコンテナとして下記の特許文献１に記載のものがある。該コンテナは、四周に設けた垂直のパネル２、３、４を床５の上部に倒すことができる折り畳み式コンテナーで、大略以下の構成からなる。前面パネル２は床５の前面両端の支柱６、６に設けられて軸方向に移動可能なピン７、７によって位置決めされて床５に接して組み立てられる。後面パネル３は、床の後面両端の支柱６、６のピン７、７によって位置決めされて床５に接して組み立てられる。左右の側面パネル４、４は前記４本の支柱６、６に溶接手段により固着したピン８、８に回転可能に取り付けられて組み立てられる。
【特許文献１】特許第２９９２２７９号公報
【０００３】
上述した従来技術のコンテナーは、４面のパネルを内側に折り畳んだ状態で積重することは可能であるが、４面のパネル２、３、４を外側に略水平状態にまで展開することや、左右の側面パネル４、４を床５から取外して分解することは不可能である。このため、側面パネル４が損傷した場合には支柱６に溶接により固着してあるピン８、８を一度分解した上で損傷した側面パネル４を交換しなければならないという欠点、この作業は収穫現場では不可能で工場で行わなければならないという欠点、全部の側面パネル２、３、４を簡単に分解して洗浄、保守を行うことはできないという欠点がある。更に、コンテナー内に農産物を収納する作業を行う場合、４面の側面パネル２、３、４が所定の高さで起立しているために作業者は収納動作の度毎に無理に腕を伸ばしたり、頻繁に立ち上がらなければならないことから、身体に大きな負担が掛って肩凝りや腰痛の原因になるという欠点がある。
【発明の開示】
【発明が解決しようとする課題】
【０００４】
本発明は、従来技術の諸欠点に鑑みなされたもので、４枚の側部パネルを内側に折り畳むことは勿論、外側に略水平に展開することや取外すことも可能であるから農作物等の収容物を収納する作業を容易に効率よく行うことができるし、４面の側部パネルを底部パネルから分離できるので、分解洗浄や破損した底部パネルや一部の側部パネルの交換が可能であり、また従来技術よりも構造を単純化できるので製作費の低減を図ることができる開放型コンテナを提供すること、また、少なくとも１の側部パネルは高さ方向略中間から外側に二つ折できるので、収容物の収納作業を効率的に行うことができるし、作業時における身体に掛る負担を大幅に軽減することができる開放型コンテナを提供することを目的とする。
【課題を解決するための手段】
【０００５】
上述した課題を解決するために構成された請求項１に係る本発明の手段は、平面略四角形の底  平面略四角形の底部パネルと、該底部パネルの前側両隅に立設した一対の前支柱及び後側両隅に立設した一対の後支柱と、前記前支柱間、後支柱間及び前後支柱間に幅方向両下端側を軸支することにより立設した４枚の側部パネルと、該４枚の側部パネルを係脱可能に枠状に連結する連結手段とからなり、前記４枚の側部パネルのうち少なくとも１枚の側部パネルは、幅方向両端の下部側に突設した係止軸と、該側部パネルを支持する一対の支柱に形成され、該係止軸を落とし込んだ状態で挿嵌する支持溝とからなる挿嵌軸支機構によって軸支し、他の側部パネルは幅方向両端の下部側に穿設した軸挿入穴と、各一対の支柱に軸方向に変位可能に設けられ、該軸挿入穴に挿脱可能に挿装する支持軸とからなる挿入軸支機構によって軸支することにより、前記４枚の側部パネルは各一対の支柱に係脱可能に、かつ略１８０度の範囲で回動可能に係着したものからなる。
【０００６】
また、請求項２に係る発明を構成する手段は、平面略四角形の底部パネルと、該底部パネルの前側両隅に立設した一対の前支柱及び後側両隅に立設した一対の後支柱と、前記前支柱間、後支柱間及び前後支柱間に幅方向両下端側を軸支することにより立設した４枚の側部パネルと、該４枚の側部パネルを係脱可能に枠状に連結する連結手段とからなり、前記側部パネルは、幅方向両端の下部側に突設した係止軸と、該側部パネルを支持する一対の支柱に形成され、該係止軸を落とし込んだ状態で挿嵌する支持溝とからなる挿嵌軸支機構によって軸支することにより、前記４枚の側部パネルは各一対の支柱に係脱可能に、かつ略１８０度の範囲で回動可能に係着したものからなる。
【０００７】
そして、前記支持溝は、先端が前記支柱の外縁に開口した略Ｉ字状、略逆Ｌ字状、略く字状又は逆レ字状のいずれかに形成したものにするとよい。
【０００８】
また、前記４枚の側部パネルのうち少なくとも１枚の側部パネルは、回動可能に連結した下部パネル体と上部パネル体とによって外側に二つ折り可能に構成するとよい。
【発明の効果】
【０００９】
本発明は以上詳述した如く構成したから、下記の諸効果を奏する。
（１）４面の側部パネルは内側に折り畳むことができるから折り畳んだ状態で積重することができるし、外側に展開することも可能であるから、１面或は複数面のパネルを開放した状態にして農作物等の収容物を収納する作業を行うことができるので、収納作業が容易で効率よく行うことができるし、身体に掛る負担を軽減することができる。
（２）４面の側部パネルを底部パネルから分離できるので、分解洗浄を容易に行うことができるし、破損した底部パネルや一部の側部パネルを簡単に交換することができる。
（３）従来技術よりも構造を単純化できるので、製作費の低減を図ることができる。
（４）支持溝は、上端が支柱の外縁に開口した略Ｉ字状、略逆Ｌ字状、略く字状、逆レ字状のいずれかに形成してあるから、側面パネルの支柱からの着脱を容易に行うことができるし、開閉動作や搬送中の振動等によって側部パネルは支柱から離脱することなく確実に支持することができる。
（５）少なくとも１の側部パネルは高さ方向略中間から外側に二つ折可能にしてあるから、作業者は作業開始当初は側部パネルを二つ折の状態にすることにより、しゃがんだり、座った姿勢のままで収納物を収納する作業ができるので、体の動きの負担を大幅に軽減することができるし、作業効率も高めることができる。
【発明を実施するための最良の形態】
【００１０】
以下、本発明の実施の形態を図面に基づき詳述する。図１乃至図９は第１の実施の形態を示す。図１及び図２において、１は平面略長方形の底部パネルを示す。２は該底部パネル１を構成する底パネル本体で、該底パネル本体２は角筒鋼管からなる長尺の前枠２Ａと、該前枠２Ａに後述する前側部パネル１１の厚さ分加えた高さの角筒鋼管からなる後枠２Ｂと、該前枠２Ａに前側部パネル１１の厚さの略倍の高さの角筒鋼管からなる左右一対の横枠２Ｃ、２Ｃとを横長長方形の枠体に連結し、左右の横枠２Ｃ、２Ｃ間に複数本の平鋼材からなる受け材２Ｄ、２Ｄ、・・・を一定間隔で架設した構成からなっている。
【００１１】
３は前記底パネル本体２の下側に一体に設けることにより底部パネル１を構成する支持体を示す。該支持体３は長手方向両端を閉塞した角筒鋼管からなり、左右の横枠２Ｃ、２Ｃの下面に固着した一対の外側脚材３Ａ、３Ａと、該外側脚材３Ａと平行に底枠体２の内側下面に固着した一対の内側脚材３Ｂ、３Ｂと、外側脚部３Ａ、３Ａ及び内側脚材３Ｂ、３に連結した平鋼板からなる前後一対の連結材３Ｃ、３Ｃとから構成してあり、外側脚材３Ａと内側脚材３Ｂとの間の空間Ａ、Ａはフォークリフトによるリフト時にフォークを挿入することができるスペースになっている。
【００１２】
４、４は前述の構成からなる底部パネル１の前側両角隅に立設した鋼材からなる一対の前支柱を示す。該各前支柱４は内側対向片４Ａと、外側対向片４Ｂと、連結片４Ｃとから横断面略コ字状に形成し、下端に四角形の補強片４Ｄを一体に設けた構成からなり、開放面を前方に向けた状態で外側脚材３Ａと横枠２Ｃに溶接手段により固着してある。
【００１３】
また、５、５は底部パネル１の後側両角隅に立設した一対の後支柱を示す。該各後支柱５も内側対向片５Ａと、外側対向片５Ｂと、連結片５Ｃとから横断面略コ字状に形成し、下端に補強片５Ｄを一体に設けた構成からなり、開放面を後方に向けた状態で外側脚材３Ａと横枠２Ｃに溶接手段により固着してある。そして、該前支柱４、４と後支柱５、５は上端を同じ高さに設定することにより、コンテナを水平に積重することができるようにしてある。
【００１４】
１１は一対の前支柱４、４間に後述する挿嵌軸支機構１２を介して軸支した前側部パネルを示し、該前側部パネル１１は上、下の横材１１Ａ、１１Ｂと左右一対の縦材１１Ｃ、１１Ｃとから横長長方形の枠体に形成し、上、下の横材１１Ａ、１１Ｂ間に３本の内側縦材１１Ｄ、１１Ｄ、１１Ｄを離間して連結した構成からなっている。
【００１５】
１２は前記前側部パネル１１を前支柱４、４間に回動可能かつ着脱可能に連結するための挿嵌軸支機構を示し、挿嵌軸支機構１２は前側部パネル１１の左右縦材１１Ｃ、１１Ｃの下端側位置から横方向に突設した係止軸１３、１３と、各前支柱４の内側対向片４Ａに形成され、先端が開口した横溝部１４Ａから縦溝部１４Ｂが下方に略垂直に続く略逆Ｌ字状に形成され、該係止軸１３を係脱可能に支持する支持溝１４とから構成してある。
【００１６】
なお、図８及び図９は挿嵌軸支機構１２の変形例を示す。図８は第１の変形例で、支持溝１４’は先端が前支柱４の側縁に開口した下り傾斜溝部１４’Ａと、該下り斜溝部１４’Ａに続く略垂直の縦溝部１４’Ｂとから逆く字状に形成してある。支持溝１４’をこのように形成することにより、支持溝１４’に支持軸１３を挿嵌する動作を容易に行うことができる。
【００１７】
また、図９は第２の変形例を示し、支持溝１４”は、先端が前支柱４の側縁に開口した上り傾斜溝部１４”Ａと、該上り傾斜溝部１４”Ａに続く略垂直の縦溝部１４”Ｂとから略逆レ字状に形成してある。支持溝１４”をこのように形成することにより、万一ストッパ片１５Ｃが脱落した場合でも係止軸１３が支持溝１４”から簡単に抜け出す事態を防止することができる。
【００１８】
１５は前記係止軸１３が支持溝１４から抜け出すのを防止するためのストッパ機構で、該ストッパ機構１５は横溝部１４Ａの下側に位置して前支柱４の内側及び外側対向片４Ａ、４Ｂに架設した取付軸１５Ａと、該支持軸１５Ａに止めねじ１５Ｂ、１５Ｂを介して固定されることにより係止軸１３を縦溝部１４Ｂ内に拘持するストッパ片１５Ｃとから構成してある。そして、前記取付軸１５Ａは前支柱４の内側対向片４Ａと外側対向片４Ｂに架設することによりこれらを補強する機能も有している。
【００１９】
上述した構成によれば、前側部パネル１１の係止軸１３、１３を支持溝１４、１４に落し込み、取付軸１５Ａにストッパ片１５Ｃをねじ止めするだけで、前側部パネル１１を前支柱４、４に容易に取着することができる。また、逆の手順で前側部パネル１１を簡単に取外すことができる。このように、従来技術のようなピンと穴の位置合せという面倒がないから、作業者が１人で組立てを容易に、効率よく行うことができる。従って、側部パネル１１、２１、３１のいずれかが損傷して交換が必要な場合も、コンテナを工場に持ち帰って交換作業を行う必要はなく、収納現場で短時間に交換作業を行うことができるから、本来の収納作業が阻害される影響も最小限にすることができる。
【００２０】
２１は前側部パネル１１に対向して一対の後支柱５、５に軸支した後側部パネルを示し、該後側部パネル２１は上、下の横材２１Ａ、２１Ｂと左右一対の縦材２１Ｃ、２１Ｃとから横長長方形の枠体に形成し、上、下の横材２１Ａ、２１Ｂ間に３本の内側縦材２１Ｄ、２１Ｄ、２１Ｄを離間して連結した構成からなっている。
【００２１】
２２は前記後側部パネル２１を後支柱５、５間に回動可能かつ着脱可能に支持するための後挿入軸支機構を示し、該後挿入軸支機構構２２は後側部パネル２１の左右縦材２１Ｃ、２１Ｃの下側位置に穿設した軸挿入穴２３と、後支柱５の両対向片５Ａ、５Ｂに該軸挿入穴２３と同軸に穿設した一対の摺接穴２４、２４と、該摺接穴２４、２４に挿入され、図７中左横方向に摺動させることにより先端側２５Ａが軸挿入穴２３に嵌入する支持軸２５と、該支持軸２５に固着された係止片２６と、後支柱５に突設され、該係止片２６の横方向の変位を規制するストッパ片２７とから構成してある。
【００２２】
後挿入軸支機構２２は上述の構成からなっており、支持軸２５は図７中の軸方向左に摺動させて先端側２５Ａから軸挿入穴２３に嵌入することにより後側部パネル２１を軸支し、係止片２６を下降させてストッパ片２７に係止させることにより、コンテナの使用時に後側部パネル２１が脱落する事態を確実に防止することができる。他方、後側部パネル２１を後支柱５から取り外す場合は、係止片２６をストッパ片２７から離間させて支持軸２５を図７中軸方向右に摺動させて先端側２５Ａを軸挿入穴２３から抜き出すことにより、後側部パネル２１は一対の後支柱５、５から離脱させることができる。
【００２３】
次に、３１、３１は前支柱４と後支柱５との間に軸支した左右一対の横側部パネルを示し、該各横側部パネル３１は上、下の横材３１Ａ、３１Ｂと、左右一対の縦材３１Ｃ、３１Ｃとから横長長方形の枠体に形成し、該枠体の幅方向中間に位置して上、下の横材３１Ａ、３１Ｂ間に内側縦材３１Ｄを連結した構成からなっている。
【００２４】
３２は前記各横側部パネル３１を前支柱４と後支柱５間に回動可能かつ着脱可能に軸支するための横挿入軸支機構を示す。該横挿入軸支機構３２は、図４及び図７に示すように、横側部パネル３１の各縦材３１Ｃの下側位置に穿設した軸挿入穴３３と、前支柱４（後支柱５）に固着した略Ｌ字状の軸受板３４と、該軸受板３４の縦片３４Ａ及び前支柱４（後支柱５）の連結片４Ｃ（５Ｃ）に同軸に穿設した軸摺動穴３５、３５と、該一対の軸摺動穴３５、３５に回動可能、かつ軸方向に摺動可能に挿装され、先端側３６Ａが前記軸挿入穴３３に挿脱する支持軸３６と、該支持軸３６に固着され、該支持軸３６を所定方向に回転することにより軸受板３４の横片３４Ｂに係止するストッパ片３７とから構成してある。
【００２５】
横挿入軸支機構３２は上述の構成からなり、支持軸３６を軸方向に変位させることにより、横側部パネル３１を前支柱４（後支柱５）に係離可能に軸支させる作動、ストッパ片３７により支持軸３６の軸方向変位を規制する作動は前述した後挿入軸支機構２２と基本的に異なるところはないので、その詳細は省略する。  
【００２６】
更に、図１及び図８において、４１、４１、・・は隣接する前側部パネル１１と横側部パネル３１、後側部パネル２１と横側部パネル３１を連結して四面の枠体を形成するための連結手段で、該各連結手段４１は係合爪部４２Ａを有し、各横側部パネル３１の縦材３１Ｃ上端側に軸着した係合用レバー４２と、前側部パネル１１（後側部パネル２１）の縦材１１Ｃ（２１Ｃ）の上端側に穿設され、前記係合爪部４２Ａが出入する係止穴４３とから構成してある。そして、係合用レバー４２を矢示方向に回動操作することにより、前側部パネル１１と横側部パネル３１同士、及び後側部パネル２１と横側部パネル３１同士を連結し、また解放させることができる。
【００２７】
また、４５、４５、・・は各横側部パネル３１の上横材３１Ａから上方に突設した一対のずれ止め体で、該ずれ止め体４５、４５は積重するコンテナの外側脚材３Ａに形成してある図示しない係合穴に嵌合させることにより、収容物を収納した重量のあるコンテナを垂直状態に積重できるようにして安定性を確保するようにしてある。
【００２８】
なお、上述した前側部パネル１１、後側部パネル２１及び横側部パネル３１には係着用ロッド４１を枠状に固着し、該係着用ロッドに合成樹脂製ネットを係着して各パネル１１、２１、３１を内側から全面的に覆うことにより、輸送時や保管時の収容物の損傷防止を図る構成にしてあるが、この構成は公知技術であって本願発明を構成する本質的部分ではないし、図が煩雑になるのでその図示および説明は省略してある。
【００２９】
また、本実施の形態では、係止軸１３と支持溝１４からなる挿嵌軸支機構１２は前側部パネル１１を前支柱４、４に軸支する手段として説明したが、他の後側部パネル２１或は横側部パネル３１の軸支機構として用いてもよいことは勿論である。
【００３０】
次に、図１０は第２の実施の形態を示す。なお、本実施の形態及び後述する第３の実施の形態において前述した第１の実施の形態の構成要素と同一の構成要素には同一の符号を付して援用し、その説明を省略する。図において、５１は横側部パネル３１を前支柱４と後支柱５間に軸支するための横挿嵌軸支機構を示す。５２は該横挿嵌軸支機構５１を構成する支持軸で、該支持軸５２は第１の実施の形態における軸挿入穴３３に替えて横側部パネル３１の縦材３１Ｃの下側位置から横方向に突設したものからなる。
【００３１】
５３は前支柱４（後支柱５）の連結片４Ｃ（５Ｃ）に形成した支持溝で、該支持溝５３は連結片４Ｃ（５Ｃ）の上端から垂直に切削することにより先端が開口した縦溝からなっている。５４は軸止め板で、該軸止め板５４は連結片４Ｃ（５Ｃ）に取着する四角形の平板鋼板に軸穴５４Ａと上、下一対のねじ穴を穿設したものからなっている。
【００３２】
本実施の形態によれば、前支柱４と後支柱５間に横側部パネル３１を軸支する場合、支持軸５２を支持溝５３に上方から挿嵌し、軸穴５４Ａに支持軸５２を挿入した状態にして軸止め板５４を連結片４Ｃ（５Ｃ）にねじ５５、５５で締着することにより、横側部パネル３１を前支柱４（後支柱５）に簡単に係着することができる。また。軸止め板５４は支持溝５３を形成した連結片４Ｃ（５Ｃ）を補強する機能と、支持軸５２の荷重を受ける機能を有している。
【００３３】
本実施の形態による横挿嵌軸支機構５１によれば、従来技術及び第１の実施の形態における横挿入軸支機構３２と比較して構成が簡単であるし、軸挿入穴３３と軸摺動穴３５の面倒な位置合わせ作業が不要であるから、製作費の節減と製作効率の向上を図ることができる。
【００３４】
かくして、第１の実施の形態における挿嵌軸支機構１２と上記横挿嵌軸支機構５１の両者を用いることにより、前側部パネル１１、後側部パネル２１及び横側部パネル３１は可動させる軸を用いないで前支柱、後支柱５に回動可能、かつ着脱可能に軸支することができる。
【００３５】
図１１及び図１２は第３の実施の形態を示す。図において、６１は開放型コンテナを示し、該開放型コンテナ６１は底部パネル１と、前支柱４、４及び後支柱５、５と、後述する前側部パネル６２と、後側部パネル２１と、左右の横側部パネル３１、３１と、連結手段４１、４１、・・とから構成してある。
【００３６】
そして、前側部パネル６２は挿嵌軸支機構１２を介して前支柱４、４間に、後側部パネル２１は後挿入軸支機構２２を介して後支柱５、５間に、横側部パネル３１、３１は横挿入軸支機構３２を介して前支柱４と後支柱５間に回動可能、かつ着脱可能に夫々軸支させた構成は第１の実施の形態と同じである。
【００３７】
ここで、前側部パネル６２は下部パネル体６３と上部パネル体６４とから構成してあり、下部パネル体６３は、上横材６３Ａ、下横材６３Ｂ、左右の縦材６３Ｃ、６３Ｃとから横長長方形の枠体に形成し、上枠材６３Ａと下横材６３Ｂ間に３本の内側縦材６３Ｄ、６３Ｄ、６３Ｄを離間して連結した構成からなっている。
【００３８】
また、該下部パネル体６３と同形の上部パネル体６４も上横材６４Ａ、下横材６４Ｂ、左右の縦材６４Ｃ、６４Ｃとから横長長方形の枠体に形成し、上枠材６４Ａと下横材６４Ｂ間に３本の内側縦材６４Ｄ、６４Ｄ、６４Ｄを離間して連結した構成からなっている。そして、該上部パネル体６４はヒンジ６５、６５を介して下部パネル体６３に対して外側に回動可能に連結することにより、前側部パネル６２は外側に二つ折可能に構成してある。
【００３９】
上述した構成の前側部パネル６２は、上部パネル体６４を横側部パネル３１、３１に連結手段４１、４１によって連結することにより枠体を構成するようにしてある。また、前側部パネル６２を二つ折した状態で下部パネル体６３も後側部パネル２１及び横側部パネル３１、３１と枠体を構成するために、横側部パネル３１、３１に係合用レバー４２を軸着し、下部パネル体６３の各縦材６３Ｃに係止穴４３を穿設した連結手段４１、４１によって連結するようにしてある。
【００４０】
本実施の形態によれば、前側部パネル６２は外側に二つ折可能に構成してあり、コンテナ６１内に収穫物を収納する作業を行う場合に、作業当初は上部パネル体６４を外側に二つ折りした状態にしておく。これにより、作業者は腕を大きく上げたり、頻繁に立ち上がる動作をすることのない楽な動きで収納作業を行うことができるから、作業者の身体的負担を大幅に軽減することができるし、作業効率を上げることができる。そして、下部パネル体６３の上端まで収穫物を収納したら、上部パネル体６４を立ち上げて横側部パネル３１に連結手段４１、４１によって連結することにより、コンテナ６１の上端にまで収穫物を収納することができる。
【００４１】
なお、本実施の形態では前側部パネル６２を二つ折可能に構成したが、後側部パネル等他の側部パネルも二つ折可能に構成してよいことは勿論である。
【産業上の利用可能性】
【００４２】
本発明による開放型コンテナは、農産物の収納運搬の用途に限られず、漁業の分野では採取した貝、林業の分野では伐採した小枝等のように粒状部や塊状物の収納運搬にも使用できるし、部品製造工場で製造した部品を収納して運搬する場合に使用することも可能である。
【図面の簡単な説明】
【００４３】
【図１】図１乃至図９は本発明の第１の実施の形態に係り、図１は開放型コンテナの全体構成を示す斜視図である。
【図２】底部パネルと支柱の斜視図である。
【図３】前支柱に前側部パネルと横側部パネルを軸支した構成を示す要部拡大図である。
【図４】前支柱に前側部パネルと横側部パネルを軸支した構成を示す要部縦断面図である。
【図５】支持溝の変形例を示す要部説明図である。
【図６】支持溝の他の変形例を示す要部説明図である。
【図７】後支柱に後側部パネルと横側部パネルを軸支した構成を一部を破断して示す要部拡大図である。
【図８】側部パネル同士を係脱可能に連結する連結手段を示す要部拡大図である。
【図９】開放型コンテナを折り畳んだ状態の正面図である。
【図１０】図１０は第２の実施の形態に係り、前支柱に横側部パネルを軸支した構成を示す要部拡大図である。
【図１１】図１１及び図１２は第３の実施の形態に係り、図１１は開放型コンテナの外観斜視図である。
【図１２】前側部パネルを二つ折した状態の説明図である。
【符号の説明】
【００４４】
１          底部パネル
４          前支柱
５          後支柱
１１、６２  前側部パネル
１２、５１  挿嵌軸支機構
１３、５２  係止軸
１４、５３  支持溝
２１        後側部パネル
２２        後挿入軸支機構
２６        支持軸
３１        横側部パネル
４１        連結手段
６３        下部パネル体
６４        上部パネル体
【図１】
2005075434.tif 000003
【図２】
2005075434.tif 000004
【図３】
2005075434.tif 000005
【図４】
2005075434.tif 000006
【図５】
2005075434.tif 000007
【図６】
2005075434.tif 000008
【図７】
2005075434.tif 000009
【図８】
2005075434.tif 000010
【図９】
2005075434.tif 000011
【図１０】
2005075434.tif 000012
【図１１】
2005075434.tif 000013
【図１２】
2005075434.tif 000014